(57)【要約】      （修正有）【課題】普通の大人に限らず、たとえば手先の不自由なお年寄りや指先にまだ十分に力を入れることができない小さな子供であっても、重さの重いマグカップに飲み物をたっぷりと入れた後、マグカップの取手をしっかりと掴み、その飲み物を安全に飲むことができるマグカップを提供する。【解決手段】カップ本体１１０とカップ本体の外周面の一部に備わった取手１２０からなるマグカップ１において、取手には突起部が設けられ、取手を把持した際に、マグカップの取手を掴む者が親指でマグカップの取手の外周面上側部１２１を押さえ、人差し指で取手の内周面中間部１２２を押さえ、取手部の突起部より上側の部分を中指で押し付けることで指による取手の把持力を増大させるようになっている。【選択図】図４
0003197493.tif 000002
【実用新案登録請求の範囲】
【請求項１】
カップ本体と当該カップ本体の外周面の一部に備わった取手からなるマグカップにおいて、
前記取手には突起部が設けられ、前記取手を把持した際に、前記マグカップの取手を掴む者が親指で当該マグカップの取手の外周面上側部を押さえ、人差し指で前記取手の内側外周面を押さえ、前記取手部の突出部より上側の部分を中指で押し付けることで前記指による取手の把持力を増大させるようになっていることを特徴とするマグカップ。
【請求項２】
カップ本体と当該カップ本体の外周面の一部に備わった取手からなるマグカップにおいて、
前記取手には突起部が設けられ、前記取手を把持した際に、前記マグカップの取手を掴む者が親指で当該マグカップの取手の突起上側面を押さえ、人差し指と中指で前記取手の内側外周面を押さえ、前記取手部の突出部より上側の部分を薬指で押し付けることで前記指による取手の把持力を増大させるようになっていることを特徴とするマグカップ。
【請求項３】
前記マグカップは陶器でできていることを特徴とする請求項１又は請求項２に記載のマグカップ。
【考案の詳細な説明】
【技術分野】
【０００１】
本考案は、コーヒーやミルクティー、その他様々な飲み物を入れるマグカップに関する。
【背景技術】
【０００２】
コーヒーやミルクティー、その他様々な飲み物を入れる取手付きのマグカップは広く知られている（例えば、特許文献１乃至特許文献４参照）。ここで、特許文献１は、マグカップの外周面に写真画像を転写しやすくした考案である。また、特許文献２はマグカップの内部を中空構造にして保温性を高めた考案である。また、特許文献３はマグカップの表面にパズルを表した図柄を設け、熱によって図柄が変化するようにした考案である。また、特許文献４はマグカップの底部にこの底部よりも突出する厚みを有する弾性体からなるリングパッキンを嵌めてマグカップを置いた際の安定性を図った考案である。
【先行技術文献】
【特許文献】
【０００３】
【特許文献１】実用新案登録第３０００３９７号公報
【特許文献２】実用新案登録第３１８５０８４号公報
【特許文献３】実開平７−２０９３４号公報
【特許文献４】実用新案登録第３０６８７４７号公報
【考案の概要】
【考案が解決しようとする課題】
【０００４】
上述した従来の様なマグカップは、その表面に写真やパズルを付したり、置いた時の安定性を向上させたり、保温性を高めたりするものである。しかしながら、マグカップは一般に陶器や磁器でできており、通常のコップに比べ重量が非常に重い。そのため、使用者がマグカップに熱い飲み物を注ぎ、その飲み物を飲む際にマグカップの取手を指で持ち上げる際に、不注意により思わずマグカップを傾けてしまうことがある。その結果、マグカップ内にあるたっぷりと注がれた熱い飲み物がこぼれ、思わぬやけどを負ってしまったり、テーブル内にたらして、例えばテーブルに置かれた重要な書類を汚してしまったりすることがある。
【０００５】
また、指先の不自由な高齢者がこのようなマグカップを用いて飲み物を飲む場合、マグカップ自体が上述したように重いため、取手を上手く握ることができず、飲んでいる最中にマグカップ自体を落として割ってしまい、飲みかけのお茶やコーヒーなどをテーブルや衣服にかけてしまう虞がある。また、小さな子供がマグカップを用いてミルクやジュースなどを飲もうとする際、手が小さく指の力も充分でないためマグカップの取手をしっかりと握れず、マグカップ内の飲み物を全部飲む前に、指の力が入らなくなり思わず落としてしまい、上述したようにテーブル上に飲み物をこぼしてしまったり、飲み物を大切な衣服にかけてしまったりする虞がある。なお、マグカップ内に熱い飲み物を注いだとき、マグカップをしっかりと握ることができない指先の不自由な高齢者や小さな子供が上述したように飲み物を飲む最中にマグカップをかたむけたり落としてしまったりすると火傷を負って大変なことになる。
【０００６】
本考案の目的は、普通の大人に限らず、たとえば手先の不自由なお年寄りや指先にまだ十分に力を入れることができない小さな子供であっても、重さの重いマグカップに飲み物をたっぷりと入れた後、マグカップの取手をしっかりと掴み、その飲み物を安全に飲むことができるマグカップを提供することにある。
【課題を解決するための手段】
【０００７】
上記目的を達成するために本考案の請求項１に係るマグカップは、
カップ本体と当該カップ本体の外周面の一部に備わった取手からなるマグカップにおいて、
前記取手には突起部が設けられ、前記取手を把持した際に、前記マグカップの取手を掴む者が親指で当該マグカップの取手の外周面上側部を押さえ、人差し指で前記取手の内側外周面を押さえ、前記取手部の突出部より上側の部分を中指で押し付けることで前記指による取手の把持力を増大させるようになっていることを特徴としている。
【０００８】
また、本考案の請求項２に係るマグカップは、
カップ本体と当該カップ本体の外周面の一部に備わった取手からなるマグカップにおいて、
前記取手には突起部が設けられ、前記取手を把持した際に、前記マグカップの取手を掴む者が親指で当該マグカップの取手の外周面上側部を押さえ、人差し指と中指で前記取手の内側外周面を押さえ、前記取手部の突出部より上側の部分を薬指で押し付けることで前記指による取手の把持力を増大させるようになっていることを特徴としている。
【０００９】
また、本考案の請求項３に係るマグカップは、請求項1又は請求項２に記載のマグカップにおいて、
前記マグカップは陶器でできていることを特徴としている。
【考案の効果】
【００１０】
本考案によると、普通の大人に限らず、たとえば手先の不自由なお年寄りや指先にまだ十分に力を入れることができない小さな子供であっても、重さの重いマグカップに飲み物をたっぷりと入れた後、マグカップの取手をしっかりと掴み、その飲み物を安全に飲むことができるマグカップを提供することができる。
【図面の簡単な説明】
【００１１】
【図１】本考案の一実形態に来るマグカップをそれに備わった取手側の側方全体が見えるように描いた正面図である。
【図２】図１に示したマグカップをその取手が突出した方向から見た側面図である。
【図３】図１に示したマグカップの飲み口側上方から見た図である。
【図４】図１乃至図３に示した本実施形態に関わるマグカップの使用状態を示す説明図である。
【考案を実施するための形態】
【００１２】
以下、本考案の一実施形態に係るマグカップを図面に基づいて詳細に説明する。図１は、本考案の一実形態に来るマグカップをそれに備わった取手側の側方全体が見えるように描いた正面図である。また、図２は、図１に示したマグカップをその取手が突出した方向から見た側面図である。また、図３は、図１に示したマグカップの飲み口側上方から見た図である。
【００１３】
本発明の一実施形態に係るマグカップ（以下、単に「マグカップ」とする）１は、陶器でできており、カップ本体１１０と、カップ本体１１０の外周面の一部に備わった取手１２０からなり、ある程度の重さを有している。
【００１４】
取手１２０は、カップ本体１１０の側面の所定位置に備わり、側面視でいわゆる耳形の輪郭形状を有し、取手１２０の内側に使用者が人差し指や中指を容易に通すことができる大きさを有している。
【００１５】
取手１２０の外側のやや下側には突起部１３０が設けられている。この突起部１３０は、使用者が取手１２０を把持する場合に、親指でマグカップ１の取手１２０の外周面上側１２１を押さえ、上記親指で押さえた外周面上側部１２１と反対側の内周面であって突起部１３０より上方の内周面中間部１２２を人差し指で押さえて親指と人差し指で取手１２０の一部を摘んだ状態において、取手１２０に形成された突起部１３０の上側の緩やかな突起上側面１３１に中指の薬指側の例えば第二関節から拳側に向かった外側一部を押し付けることができる形状を有している。
【００１６】
また、突起部１３０の突起下側面１３２は上述した状態で薬指の中指側の所定の側面で押し付けられるようになっている。これによって突起部１３０自体を中指と薬指で挟み込んで押さえ付けるようになっている。
【００１７】
そして、マグカップ１の取手１２０がこのような特別な形状の突起部１３０を有することで、指による取手１２０の把持力を増大させるようになっている。
【００１８】
以下、本実施形態に係るマグカップ１の作用について説明する。図４は、図１乃至図３に示した本実施形態に関わるマグカップの使用状態を示す説明図である。
【００１９】
図４からも明らかなように、使用者はマグカップ１のカップ本体１１０に例えばコーヒーや紅茶などの飲み物を入れた後、取手１２０を以下のように掴む。具体的には、親指でマグカップ１の取手１２０の外周面上側部１２１を押さえ、親指で押さえた外周面上側部１２１と反対側の内周面であって突起部１３０より上方の内周面中間部１２２を人差し指で押さえて親指と人差し指で取手１２０の一部を摘む。そして、取手１２０に形成された突起部１３０の上側の部分に中指の薬指側の第二関節から拳に向かう外側一部を押し付けるとともに、突起部１３０の突起下側面１３２に薬指の中指側の所定の側面を押し付ける。これによって、突起部１３０自体を中指と薬指で挟み込んで押さえ付ける。このようにして、本実施形態の場合、陶器でできた重さが比較的重いマグカップ１をしっかりと把持することができる。
【００２０】
本実施形態に係るマグカップ１を用いると、取手１２０をこのように掴むことでマグカップ１をしっかりと把持することができるので、使用者がマグカップ１に熱い飲み物を注ぎ、その飲み物を飲むにあたって、マグカップ１の取手を指で持ち上げる際に、不注意により思わずマグカップ１を傾けてしまうことがない。その結果、従来のようにマグカップ１内にあるたっぷりと注がれた熱い飲み物がこぼれ、思わぬやけどを負ってしまったり、テーブル内にたらして、例えばテーブルに置かれた重要な書類を汚してしまったりするような事態を招く虞がない。
【００２１】
また、指先の不自由な高齢者がこのようなマグカップ１を用いて飲み物を飲む場合、マグカップ１自体が重くても、取手を上手く握ることができ、従来のように飲んでいる最中にマグカップ１自体を落として割ってしまい、飲みかけのお茶やコーヒーなどをテーブルや衣服にかけてしまうような事態を招く虞がない。
【００２２】
また、小さな子供がマグカップ１を用いてミルクやジュースなどを飲もうとする際、手が小さく指の力も充分でなくてもマグカップ１の取手をしっかりと握ることができ、従来のようにマグカップ１内の飲み物を全部飲む前に、指の力が入らなくなり思わず落としてしまい、上述したようにテーブル上に飲み物をこぼしてしまったり、飲み物を大切な衣服にかけてしまったりするような事態を招く虞がない。
【００２３】
特に、本実施形態に係るマグカップ１によると、このマグカップ１内に熱い飲み物を注いだとき、マグカップ１をしっかりと握ることができない指先の不自由な高齢者や小さな子供が上述したように飲み物飲む最中に従来のようにマグカップ１をかたむけたり落としてしまったりして火傷を負ってしまうような事態を招く虞がない。例えば、飲み物はコーンスープやクラムチャウダーなどの比較的粘度のあるスープ状の飲み物の場合、その飲み物自体の温度はなかなか低下しないので、この中身をうっかりこぼしてしまって深刻なやけどを負うようなことを防止できる。
【００２４】
なお、本実施形態に係るマグカップ１の取手１２０の掴み方については、上述した説明の他に単に親指でマグカップ１の取手１２０の外周面上側部１２１を押さえ、親指で押さえた外周面上側部１２１と反対側の内周面であって突起部１３０より上方の内周面中間部１２２を人差し指で押さえて親指と人差し指で取手１２０の一部を摘むようにしただけでも良い。慣れてくればマグカップ１の取手１２０をこのように把持するだけでもしっかりとマグカップ１を持つことができる。
【００２５】
以上説明した本考案の一実施形態に係るマグカップは重さの比較的重い陶器でできていたが、この材質は陶器に限定されることなく同じく重さの思い磁器や金属でできていても良い。また、たとえ重さが軽くても上述のように取手をしっかりと把持できるので、特に手先の不自由な高齢者や取手をうまく掴むことができない小さい子供にとっても本考案の効果を充分に発揮できる。それ故、このマグカップの材質は例えば比較的軽量な樹脂やプラスチックでできていても良い。
【００２６】
また、上述の実施形態においては大きさの比較的大きいマグカップを一例として挙げたが、本考案の適用範囲はマグカップに限定されるものではなく、本考案を通常のカップに適用しても十分な作用効果を発揮し得ることは言うまでもない。
【００２７】
また、上述の実施形態は、あくまで本考案の一例を示すもので、本考案の範囲を逸脱しなければ上述のような寸法、材質、形状に本考案を限定する必要はなく、適宜設計変更を可能とすることは言うまでもない。
【符号の説明】
【００２８】
１        マグカップ
１１０    カップ本体
１２０    取手
１２１    外周面上側部
１２２    内周面中間部
１３０    突起部
１３１    突起上側面
１３２    突起下側面
【図１】
0003197493.tif 000003
【図２】
0003197493.tif 000004
【図３】
0003197493.tif 000005
【図４】
0003197493.tif 000006